(57)【要約】【課題】簡易に取付け及び取外しが可能であり、取付状態の信頼性が高い調理用品吊具を提供する。【解決手段】調理用品吊具１１は、レンジフード３０の油受け３２に着脱自在に係合し得る係合体１３と、係合体１３に接続され壁面４１方向に傾斜する弾性体１７と、弾性体１７に接続されて壁面４１に沿うように形成され、且つ金属製パイプ２３を支持し得る支持体１５とから構成されている。調理用品吊具１１の傾斜体１４には弾性体１７が固定されており、その移動部１９は係合体１３の垂直端部４３の内面に当接するように付勢されている。係合時には油受け３２の立上り端部４９が、係合体１３の垂直端部４３の内面と弾性体１７の移動部１９との間で挟まれた状態で係合する。移動部１９に形成された突出部２１は、調理用品吊具１１に対して上向きに力が加わった時の移動を阻止して調理用品吊具１１の油受け３２からの脱落を防止する。【選択図】　　　図４
2004024694.tif 000002
【特許請求の範囲】
【請求項１】
レンジフードの油受け等の立上がり端部に着脱自在に取付けられ、調理用品等の被支持物を支持するための調理用品吊具であって、
垂直方向に伸びる板状の垂直端部と、前記垂直端部の上端に接続され、水平方向に伸びる板状の水平部と、前記水平部の端部に接続され、前記垂直端部が位置する側の垂直方向に伸びる板状の接続部とからなる係合体と、
前記係合体の前記接続部の端部に接続され、前記垂直端部が位置する方向であって、斜め下方に伸びる板状の傾斜体と、
前記係合体の前記垂直端部の内面にその１部が当接するように付勢された移動自在の板状の弾性体と、
前記傾斜体の端部に接続され、前記被支持物を支持するための支持体とを備えた、調理用品吊具。
【請求項２】
前記弾性体には、前記係合体の前記垂直端部に当接する部分を有する面と同一面であって、前記当接する部分に対して前記傾斜体側に少なくとも前記立上り端部の板厚分離れた位置において、前記係合体の前記接続部側とは反対側に突出した突出部が形成される、請求項１記載の調理用品吊具。
【請求項３】
前記弾性体は、金属板よりなり、前記傾斜体にその一部が固定されるとともに他の一部が折り曲げられ、その先端部が前記係合体に当接する、請求項１又は請求項２記載の調理用品吊具。
【請求項４】
前記支持体は、パイプを保持し得る断面形状を有する、請求項１から請求項３のいずれかに記載の調理用品吊具。
【請求項５】
前記傾斜体は、その傾斜方向に伸縮自在の構造よりなる、請求項１から請求項４のいずれかに記載の調理用品吊具。
【発明の詳細な説明】
【０００１】
【発明の属する技術分野】
この発明は調理用品吊具に関し、特にキッチンテーブルの周りで用いられる調理用品等を支持するための調理用品吊具に関するものである。
【０００２】
【従来の技術】
図９は調理用品等を保持するための従来の調理用品保持具の概略構成を示した斜視図である。
【０００３】
図を参照して、従来の調理用品保持具７５は、システムキッチンレンジ２８が組み込まれているキッチンテーブル２７の奥側の壁面４１に取付けられている。具体的には調理用品保持具７５は、壁面４１に対してビス等で取付けられる１対の支持部品７１ａ，支持部品７１ｂと、支持部品７１ａ，支持部品７１ｂに支持された金属製パイプ２３と、金属製パイプ２３に挿通され移動自在なＳ環３４とから構成されている。このようにして取付けられた調理用品保持具７５のＳ環３４に、フライパン３５や調理用手袋３６を吊り下げることによって料理時等の使用の便に供している。
【０００４】
【発明が解決しようとする課題】
上記のような従来の調理用品保持具では、支持部品を取付けるために壁面を加工してしまうことになり、取外した状態が見苦しいものになる。又、取付け及び取外しも簡易ではないため、使い勝手が良いとは言えない。
【０００５】
そこで、壁面等の加工の代わりに２本の突張り棒をキッチンテーブルの上面と上部の収納棚等との間に取付け、これを利用して棚等を架け渡す取付具が提案されている。しかし、この方法では突張り状態の信頼性を高める必要があるため、コスト的に不利とならざるを得ない。
【０００６】
この発明は上記のような課題を解決するためになされたもので、簡易に取付け及び取外しが可能であり、取付状態の信頼性が高い調理用品吊具を提供することを目的とする。
【０００７】
【課題を解決するための手段】
上記の目的を達成するために、請求項１記載の発明は、レンジフードの油受け等の立上り端部に着脱自在に取付けられ、調理用品等の被支持物を支持するための調理用品吊具であって、垂直方向に伸びる板状の垂直端部と、垂直端部の上端に接続され、水平方向に伸びる板状の水平部と、水平部の端部に接続され、垂直端部が位置する側の垂直方向に伸びる板状の接続部とからなる係合体と、係合体の接続部の端部に接続され、垂直端部が位置する方向であって、斜め下方に伸びる板状の傾斜体と、係合体の垂直端部の内面にその一部が当接するように付勢された移動自在の板状の弾性体と、傾斜体の端部に接続され、被支持物を支持するための支持体とを備えたものである。
【０００８】
このように構成すると、係合体の垂直端部の内面側と弾性体との間に油受け等の立上り端部を常時挟んだ状態でこれに係合することができる。
【０００９】
請求項２記載の発明は、請求項１記載の発明の構成において、弾性体には、係合体の垂直端部に当接する部分を有する面と同一面であって、当接する部分に対して傾斜体側に少なくとも立上り端部の板厚分離れた位置において、係合体の接続部側とは反対側に突出した突出部が形成されるものである。
【００１０】
このように構成すると、吊り下げた状態で調理用品吊具を上方に移動させると油受けに突出部が当接してそれ以上の移動を阻止する。
【００１１】
請求項３記載の発明は、請求項１又は請求項２記載の発明の構成において、弾性体は、金属板よりなり、傾斜体にその一部が固定されるとともに他の一部が折り曲げられ、その先端部が係合体に当接するものである。
【００１２】
このように構成すると、弾性体は安定した付勢状態で係合体に当接する。
【００１３】
請求項４記載の発明は、請求項１から請求項３のいずれかに記載の発明の構成において、支持体は、パイプを保持し得る断面形状を有するものである。
【００１４】
このように構成すると、レンジフードに調理用品吊具を吊るした状態でパイプを保持し得る。
【００１５】
請求項５記載の発明は、請求項１から請求項４のいずれかに記載の発明の構成において、傾斜体は、その傾斜方向に伸縮自在の構造よりなるものである。
【００１６】
このように構成すると、傾斜体を操作することによって係合体と支持体との水平方向の位置関係が変化する。
【００１７】
【発明の効果】
以上説明したように、請求項１記載の発明は、油受け等の立上り端部を常時挟んだ状態で係合することができるため、壁等に固定することなく安定した状態で調理用品吊具を吊り下げることが可能となる。又、吊り下げ及び取外しに際しては、油受けの立上り端部に弾性体の一部を押し当てるようにするだけで良いため着脱が容易となる。
【００１８】
請求項２記載の発明は、請求項１記載の発明の効果に加えて、調理用品吊具を上方に移動させると油受けに突出部が当接するため、不用意な上向の力が調理用品吊具に加わった場合でも、油受けから脱落する虞がなく使用時の信頼性を向上する。
【００１９】
請求項３記載の発明は、請求項１又は請求項２記載の発明の効果に加えて、弾性体は付勢された状態で係合体に当接するため、油受け等の立上り端部を挟んだ吊下げ状態が安定する。
【００２０】
請求項４記載の発明は、請求項１から請求項３のいずれかに記載の発明の効果に加えて、レンジフードに調理用品吊具を介してパイプを保持し得るため、このパイプを利用して調理用品等を支持することが可能になり使い勝手が良い。
【００２１】
請求項５記載の発明は、請求項１から請求項４のいずれかに記載の発明の効果に加えて、傾斜体を操作することによってレンジフードと隣接する壁面との距離に応じて安定した吊り下げ状態を確保することが可能となる。
【００２２】
【発明の実施の形態】
図１はこの発明の第１の実施の形態による調理用品吊具の概略構造を示した斜視図である。
【００２３】
図を参照して、調理用品吊具１１はその主要部が１枚の長方形鉄板を曲げ加工することによって構成されている。すなわち、調理用品吊具１１は、後述するようにレンジフードの油受け等に係合するための係合体１３と、係合体１３に接続され斜め下方に伸びる傾斜体１４と、傾斜体１４に接続され、後述するようにレンジフードに隣接する壁面に沿わすように用いられる支持体１５とから構成されている。
【００２４】
具体的には、係合体１３は垂直方向に伸びる板状の垂直端部４３と、垂直端部４３の上端に接続され、水平方向に伸びる板状の水平部４４と、水平部４４の端部に接続され、垂直端部４３が位置する側の垂直方向に伸びる板状の接続部４５とから構成されている。傾斜体１４は、係合体１３の接続部４５の端部に接続され、垂直端部４３が位置する方向であって、斜め下方に伸びる形状に構成されている。支持体１５は、傾斜体１４の端部に接続され、後述するように壁面に沿って下方に伸びる垂直部５１と、垂直部５１の下端に接続され後述するようにパイプを支持するような断面形状に曲げ加工された支持部５２とから構成されている。
【００２５】
又、傾斜体１４には弾性体１７が固定され、係合体１３と協同して作用することによって、後述するように油受け等の立上り端部に調理用品吊具１１を安定した状態で吊り下げることを可能としている。具体的には弾性体１７は、ＳＵＳ３０４等のステンレス鋼やバネ鋼等の金属板の折り曲げ加工により形成され、傾斜体１４に例えばスポット溶接等で固定される固定部１８と、固定部１８の上方端部に接続されて垂直方向に伸び、その先端部が係合体１３の垂直端部４３の内面に当接する移動部１９とから構成されている。尚、移動部１９は垂直端部４３の内面を常時当接した状態で付勢されるように、固定部１８に対する移動部１９の折曲げ角度が設定されている。
【００２６】
弾性体１７の移動部１９には、係合体１３の垂直端部４３に当接する面において、垂直端部４３の下端から傾斜体１４側に後述する油受けの立上り端部の少なくとも板厚分離れた位置において、係合体１３の接続部４５側とは反対側に突出した突出部２１が形成されている。この突出部２１は、弾性体１７の移動部１９に切れ目を入れてその切れ目の下方部分を外方に突出するようにプレス加工することによって形成されている。尚、この突出部２１の代わりに、移動部１９に上下に平行な切れ目を入れ、切れ目の間の部分を外方に突出するようにプレス加工したものを使用しても良い。
【００２７】
このように調理用品吊具１１は構成されているため、弾性体１７の移動部１９に外方から力を加えると移動部１９の先端部は係合体１３の垂直端部４３の内面から離れるように移動するが、加えた力を除くと、弾性体１７の弾性力によって付勢され、移動部１９は元の位置に復帰し係合体１３の垂直端部４３の内面に当接することになる。
【００２８】
図２は図１で示した調理用品吊具を２つ用いてその支持体の各々によってパイプを支持した状態を示した斜視図である。
【００２９】
図を参照して、一対となった調理用品吊具１１ａ，調理用品吊具１１ｂを同一水平レベルに位置するように配置させる。そして調理用品吊具１１ａの支持体１５ａの支持部５２ａと調理用品吊具１１ｂの支持体１５ｂの支持部５２ｂとに架け渡すように、金属製パイプ２３を設置する。尚、金属製パイプ２３の両端にはキャップ２４ａ，キャップ２４ｂが装着されている。このように金属製パイプ２３は調理用品吊具１１ａ，調理用品吊具１１ｂに支持されるため、調理用品吊具１１ａ，調理用品吊具１１ｂを台所内の取付対象物に係合させて吊るすことによって、金属製パイプ２３を介して調理用品等を保持させることが可能となる。
【００３０】
図３は図２で示した調理用品吊具の実際の使用状態を示した正面図である。
【００３１】
図を参照して、調理用品吊具１１ａ，調理用品吊具１１ｂは、キッチンテーブル２７に組み込まれているシステムキッチンレンジ２８の上方に位置するレンジフード３０の油受け３２に対して吊り下げられた状態で使用されている。そして調理用品吊具１１ａ，調理用品吊具１１ｂによって支持された金属製パイプ２３には、Ｓ環３４が挿通され、又、ラック３７が引っ掛けられた状態で支持されている。そして、調理用品吊具１１ａ，１１ｂ、金属性パイプ２３及びラック３７によって調理用品支持具が構成されている。Ｓ環３４にはフライパン３５が吊るされており、ラック３７の水平面には調味料３８が載置されている。これによって、システムキッチンレンジ２８を用いた調理時に、フライパン３５や調味料３８を前面位置から容易に取り出すことが可能となり、使い勝手が良い。
【００３２】
図４は図３で示したＩＶ−ＩＶラインの断面図である。
【００３３】
図を参照して、レンジフード３０の油受け３２は、その断面がレンジフード３０の傾斜体４６の下方端部から下方向に伸びる立上り部４７と、立上り部４７の下端に接続され水平方向に伸びる水平部４８と、水平部４８の端部に接続され上方に伸びる立上り端部４９とから構成されている。そして油受け３２の水平部４８の上面に係合体１３の垂直端部４３の下端が当接し、油受け３２の立上り端部４９が係合体１３の垂直端部４３の内面と弾性体１７の移動部１９の外面との間に挟まれた状態に係合されている。
【００３４】
一方、調理用品吊具１１の支持体１５を構成する垂直部５１は、傾斜体１４の存在によってレンジフード３０に隣接する壁面４１の外面に沿うように配置されることになる。このように調理用品吊具１１はレンジフード３０の油受け３２に係合した状態で吊るされるため、金属製パイプ２３を介して下方向に力が加わった場合であっても、係合体１３がレンジフード３０の油受け３２から脱落する虞はない。
【００３５】
弾性体１７の移動部１９は、上述のように係合体１３の垂直端部４３の内面に当接するように常時付勢されていることから、係合体１３が水平方向に移動する虞はなく油受け３２の立上り端部４９を挟んだ状態が安定する。
【００３６】
上述のように調理用品吊具１１に対して下方向に力が加わった場合は係合体１３の係合状態によって油受け３２から外れる虞はないが、調理用品吊具１１に対して上方向に力が加わった場合について説明する。
【００３７】
この場合、油受け３２の立上り端部４９は係合体１３の垂直端部４３と弾性体１７の移動部１９との間で挟まれた状態であるため、調理用品吊具１１は上方向に移動しようとする。ところが移動部１９には突出部２１が壁面４１側に向けて形成されているため、その上端が油受け３２の水平部４８の下面に当接することになる。これによって調理用品吊具１１のそれ以上の移動は阻止されるため、係合体１３の油受け３２に対する係合状態は維持され、不用意に脱落する虞はない。
【００３８】
次に、調理用品吊具１１をレンジフード３０の油受け３２に対して図４に示した状態に係合させる手順について説明する。
【００３９】
図５はこの調理用品吊具をレンジフードに取付ける際の取付開始状態を示した概略断面図である。
【００４０】
図を参照して、調理用品吊具１１をレンジフード３０に取付ける際には、まず調理用品吊具１１を図のように水平方向に位置させる。次に、係合体１３の垂直端部４３と弾性体１７の移動部１９に形成された突出部２１との間の移動部１９の面が、レンジフード３０の油受け３２の立上り端部４９の上方に位置するように水平方向に調整する。そして、図に示すような位置となるように調理用品吊具１１を下方に降下させて、油受け３２の立上り端部４９の上端と弾性体１７の移動部１９とを当接状態にする。
【００４１】
この状態で調理用品吊具１１に対して下方に力を加えながら矢印に示す方向に回転させる。すると弾性体１７の移動部１９は内方に撓んで移動するため、係合体１３の油受け３２に対する図４に示した係合状態を得ることが可能となる。したがって、係合体１３の垂直端部４３の端部と弾性体１７の移動部１９に形成された突出部２１の上方端部との距離は、レンジフード３０の油受け３２を構成する立上り端部４９の板厚より少なくとも大きくなるように設定されている。
【００４２】
尚、上記においては調理用品吊具１１をレンジフード３０に対して取付ける方法について説明したが、調理用品吊具１１をレンジフード３０から取外す際には上記と逆の方法によって調理用品吊具１１を取外せば良い。すなわち、図４の状態から図５の状態に調理用品吊具１１を回転させてそのまま上方に移動させることによって、レンジフード３０との係合状態を解除することが可能となる。
【００４３】
図６は図３で示したＶＩ−ＶＩラインの断面図である。
【００４４】
図を参照して、調味料等が載置されるラック３７は、一枚の長方形鉄板を曲げ加工することによって形成されている。具体的には金属製パイプ２３に対して掛けるように係合できる係合部５４と、係合部５４の下端に接続され壁面４１側に傾斜する傾斜部５５と、傾斜部５５の下端に接続され、壁面４１に沿うように下方向に伸びる垂直部５６と、垂直部５６の下端に接続され水平方向に伸びる水平載置部５７と、水平載置部５７の端部に接続され上方向に伸びる立上り端部５８とから構成されている。このようにラック３７は、金属製パイプ２３に対して係合した状態で垂直部５６の全面、壁面４１に当接した状態となるように形成されているため、図４に示した調理用品吊具１１の使用状態と相俟って、図３で示した調理用品支持具の全体的な使用状態を安定させる。
【００４５】
図７はこの発明の第２の実施の形態による調理用品吊具の概略構成を示した斜視図である。
【００４６】
図を参照して、調理用品吊具１１はレンジフードの油受け等に係合するための係合体６１と、金属製パイプ等を支持するための支持体６３とから構成されている。係合体６１は、図１で示した実施の形態による調理用品吊具１１の係合体１３及び傾斜体１４と基本的な構造は同一であるためここでの説明は繰り返さない。一方、支持体６３は、図１で示した実施の形態による調理用品吊具１１の傾斜体１４及び支持体１５の構造と基本的には同一である。
【００４７】
そして係合体６１の傾斜体１４と支持体６３の傾斜体６８とは、互いに当接した状態でこれらの長手方向に対して移動自在となるように構成されている。すなわち、傾斜体６８にはその長手方向に長穴６９が形成され、係合体６１の傾斜体１４には長穴６９を通して傾斜体６８側からセットされる止めネジ６６に螺合するネジ穴６５が形成されている。このように構成することによって、係合体６１の傾斜体１４と支持体６３の傾斜体６８との長手方向における重なり程度を所望のように調整することが可能となる。
【００４８】
図８は図７で示した調理用品吊具をレンジフードに対して係合させた状態を示した概略断面図である。
【００４９】
図を参照して、係合体６１の傾斜体１４と支持体６３の傾斜体６８との長手方向における重なり具合を上述のように調整することによって、レンジフード３０と壁面４１との距離に合わせて支持体１５の垂直部５１の水平位置を調整することが可能となる。この状態で止めネジ６６を締め付けることによって、調理用品吊具１１のレンジフード３０に対する係合状態が安定する。
【００５０】
尚、上記の各実施の形態では、調理用品吊具の取付対象はレンジフードの油受けとしているが、上方に伸びる板状の構成物を有するものであれば、他の取付対象にも同様に使用できることは言うまでもない。
【００５１】
又、上記の各実施の形態では、弾性体として金属板を使用しているが、バネ等を用いて移動自在の板材を付勢してこれを弾性体として用いることも可能である。
【００５２】
更に、上記の各実施の形態では、弾性体は傾斜体に支持されているが、例えば係合体の接続部等に支持されるように弾性体の形状を構成することも可能である。
【００５３】
更に、上記の各実施の形態では、突出部は板材をプレス加工することによって形成しているが、板材に突出体を付加するようにしても同様の効果を奏する。
【００５４】
更に、上記の各実施の形態では、支持体はパイプを支持しうる断面形状を有しているが、パイプ以外のものを支持する断面形状でも良い。
【００５５】
更に、上記の各実施の形態では、調理用品吊具は主に鉄板の曲げ加工によって形成されているが、合成樹脂の一体成型によって形成しても良い。
【００５６】
更に、上記の第２の実施の形態では、特定構造によって傾斜体の伸縮構造としているが、他の伸縮構造であっても良い事は言うまでもない。
【００５７】
更に、上記の各実施の形態では、弾性体によって油受けの立上り端部を挟んで係合体を固定しているが、弾性体の代わりに係合体の接続部を貫通して外方から螺合するボルトを取付け、係合体の垂直端部とボルトの先端との間で油受けの立上り端部を挟むようにして係合体を固定しても良い。
【図面の簡単な説明】
【図１】この発明の第１の実施の形態による調理用品吊具の概略構造を示した斜視図である。
【図２】図１で示した調理用品吊具を２つ用いて金属製パイプを支持した状態を示した斜視図である。
【図３】図１で示した調理用品吊具の使用状態を示した正面図である。
【図４】図３で示したＩＶ−ＩＶラインの断面図である。
【図５】図４で示した状態に調理用品吊具を係合させるための取付方法を示した概略断面図である。
【図６】図３で示したＶＩ−ＶＩラインの断面図である。
【図７】この発明の第２の実施の形態による調理用品吊具の概略構造を示した斜視図である。
【図８】図７で示した調理用品吊具の取付け状態を示した断面図である。
【図９】従来の調理用品保持具の取付状態を示した斜視図である。
【符号の説明】
１１…調理用品吊具
１３…係合体
１４…傾斜体
１５…支持体
１７…弾性体
１８…固定部
１９…移動部
２１…突出部
２３…金属製パイプ
３０…レンジフード
３２…油受け
６１…係合体
６３…支持体
６６…止めネジ
６９…長穴
尚、各図中同一符号は同一又は相当部分を示す。
【図１】
2004024694.tif 000003
【図２】
2004024694.tif 000004
【図３】
2004024694.tif 000005
【図４】
2004024694.tif 000006
【図５】
2004024694.tif 000007
【図６】
2004024694.tif 000008
【図７】
2004024694.tif 000009
【図８】
2004024694.tif 000010
【図９】
2004024694.tif 000011